【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
交互に入力の光ビームの偏光を切り替えるためのエタンデュを維持する偏光を切り替えるシステムであって、
第一の光の経路に沿って関連させられた入力のエタンデュを備えた偏光させられた光を有する入力の光ビームを提供するために構成されたレーザー照明システム、
前記第一の光の経路に配された旋回させられた反射性の素子、前記旋回させられた反射性の素子が少なくとも第二の光の経路及び第三の光の経路に沿って制御可能に及び交互に前記入力の光ビームを向けるために時間的に作動可能なものであること、
前記第二の光の経路に配されたリターダー、前記リターダーが異なる偏光を有する光へと前記第二の光の経路における光の偏光を変化させるために構成されたものであること、並びに、
共通の光の経路における偏光が切り替えられた光ビームへと前記第三の光の経路からの光及び前記第二の光の経路における異なる偏光を有する光を向けるために構成された偏光を組み合わせるデバイス
を具備する、システムにおいて、
前記偏光が切り替えられた光ビームは、前記入力の光ビームと関連させられた入力のエタンデュと同じ又は実質的に同じエタンデュを呈示する、システム。
【請求項２】
請求項１のシステムであって、
前記反射性の素子を旋回させるために集合的に構成された回転デバイス及び駆動するデバイスを具備すると共に、
前記駆動するデバイスは、前記回転デバイスに駆動する信号を提供するために構成されたものであると共に、前記駆する動信号が前記回転デバイスが前記旋回させられた反射性の素子を旋回させることを引き起こすために構成されたものであると共に、
前記駆動する信号は、前記偏光が切り替えられた光ビームにおいて時間的に小さい角度的なシフトを提供するために雑音を含むために構成されたものである、
システム。
【請求項３】
請求項１のシステムにおいて、
前記旋回させられた反射性の素子は、前記旋回させられた反射性の素子が、移動させられるとき、わずかに変形するために構成された光学的な表面を含む、システム。
【請求項４】
交互に入力の光ビームの偏光を切り替えるためのエタンデュを維持する偏光を切り替えるシステムであって、
第一の光の経路に沿って関連させられた入力のエタンデュを備えた偏光させられた光を有する入力の光ビーム提供するために構成されたレーザー照明システム、
前記第一の光の経路に配された旋回させられた反射性の素子、前記旋回させられた反射性の素子が少なくとも第二の光の経路及び第三の光の経路に沿って制御可能に及び交互に前記入力の光ビームを向けるために時間的に作動可能なものであること、
異なる偏光を有する光へと前記第三の光の経路における光の偏光を変化させるために及び前記第三の光の経路に沿って前記異なる偏光を有する光を反射させるために構成された前記第三の光の経路に配された反射性の遅延させるシステム、並びに、
共通の光の経路における偏光が切り替えられた光ビームへと前記第二の光の経路からの光及び前記第三の光の経路における前記異なる偏光を有する光を向けるために構成された偏光を組み合わせるデバイス
を具備する、システムにおいて、
前記偏光が切り替えられた光ビームは、前記入力の光ビームと関連させられた入力のエタンデュと同じ又は実質的に同じエタンデュを呈示する、
システム。
【請求項５】
投射システムであって、
請求項１のエタンデュを維持する偏光を切り替えるシステム、
前記エタンデュを維持する偏光を切り替えるシステムを支持する光学部品、及び、
投射組み立て品
を具備する、投射システム。
【手続補正２】
【補正対象書類名】明細書
【補正対象項目名】００２９
【補正方法】変更
【補正の内容】
【００２９】
例示的な実施形態が、単に本発明の例証するものであること、及び、上述した実施形態の多数のバリエーションが、当該発明の範囲から逸脱することなく当業者によって案出されることができることは、理解されることである。従って、全てのそのようなバリエーションが、後に続く請求項及びそれらの均等物の範囲内に含まれることは、意図されることである。
［付記］
付記（１）：
エタンデュを維持する偏光を切り替えるシステムであって、
第一の光の経路に沿って偏光させられた光を提供するように構成されたレーザー照明システム、
前記第一の光の経路に配された旋回させられた反射性の素子、
前記旋回させられた反射性の素子が少なくとも第二の光の経路及び第三の光の経路に沿って、それの偏光を変化させることなく、前記第一の光の経路において前記偏光させられた光を制御可能に及び代わりに方向付けるように作動可能なものであること、
前記第二の光の経路に配されたリターダー、
前記リターダーが前記第二の光の経路に沿って異なる偏光を有する光へと前記偏光させられた光を変化させるように構成されたものであること、並びに、
前記第一の光の経路と同じ又は実質的に同じエタンデュを呈示する単一の光ビームへと前記第二の光の経路における前記リターダーとは異なる偏光を有する光と前記第三の光の経路からの光を組み合わせるように構成された偏光を組み合わせるデバイス
を備える、システム。
付記（２）：
付記（１）のシステムであって、
前記反射性の素子を旋回させるように集合的に構成された回転デバイス及び駆動デバイスをさらに備える、システム。
付記（３）：
付記（２）のシステムにおいて、
前記駆動デバイスは、前記回転デバイスに駆動信号を提供するように構成されたものであると共に、
前記駆動信号は、前記回転デバイスが前記旋回させられた反射性の素子を旋回させることを引き起こすように構成されたものである、
システム。
付記（４）：
付記（３）のシステムにおいて、
前記駆動信号は、ノイズを含むように構成されたものである、
システム。
付記（５）：
付記（４）のシステムにおいて、
前記ノイズは、ランダムである、システム。
付記（６）：
付記（４）のシステムにおいて、
前記ノイズは、秩序化されたものである、システム。
付記（７）：
付記（２）のシステムにおいて、
前記旋回させられた反射性の素子は、前記回転デバイス及び前記駆動デバイスが、前記反射性の素子を移動させるとき、わずかに変形するように構成された光学的な表面を含む、システム。
付記（８）：
付記（７）のシステムにおいて、
前記光学的な表面は、前記反射性の素子が、前記回転デバイス及び前記駆動デバイスによって移動させられるとき、加速、減速、又はそれら両方のおかげでわずかに変形するように構成されたものである、システム。
付記（９）：
付記（４）のシステムにおいて、
前記旋回させられた反射性の素子は、前記回転デバイス及び前記駆動デバイスが、前記反射性の素子を移動させるとき、わずかに変改するように構成された光学的な表面を含む
システム。
付記（１０）：
付記（１）のシステムであって、
前記偏光を組み合わせるデバイスの上流の前記第三の光の経路に配された反射性の素子をさらに備える、システム。
付記（１１）：
エタンデュを維持する偏光を切り替えるシステムであって、
第一の光の経路に沿って偏光させられた光を提供するように構成されたレーザー照明システム、
前記第一の光の経路に配された旋回させられた反射性の素子、
前記旋回させられた反射性の素子が少なくとも第二の光の経路及び第三の光の経路に沿って、それの偏光を変化させることなく、前記第一の光の経路において前記偏光させられた光を制御可能に及び代わりに方向付けるように作動可能なものであること、
前記偏光させられた光を異なる偏光を有する光へと変化させると共に前記第三の光の経路に沿って前記異なる偏光を有する光を反射させるように構成された前記第三の光の経路に配された反射性の遅延させるシステム、並びに、
前記第一の光の経路と同じ又は実質的に同じエタンでデュを呈示する単一の光ビームへと前記第三の光の経路において前記反射性の遅延させるシステムからの前記異なる偏光を有する光と前記第二の光の経路からの光を組み合わせるように構成された偏光を組み合わせるデバイス
を備える、システム。
付記（１２）：
付記（１１）のシステムにおいて、
前記反射性の遅延させるシステムは、反射性のリターダーを備える、システム。
付記（１３）：
付記（１１）のシステムにおいて、
前記反射性の遅延させるシステムは、直列にリフレクター及びリターダーを備える、システム。
付記（１４）：
付記（１１）のシステムであって、
前記反射性の素子を旋回させるように集合的に構成された回転デバイス及び駆動デバイスをさらに備える、システム。
付記（１５）：
付記（１４）のシステムにおいて、
前記駆動デバイスは、前記回転デバイスに駆動信号を提供するように構成されたものであると共に、
前記駆動信号は、前記回転デバイスが前記旋回させられた反射性の素子を旋回することを引き起こすように構成されたものである、
システム。
付記（１６）：
付記（１５）のシステムにおいて、
前記駆動信号は、ノイズを含むように構成されたものである、システム。
付記（１７）：
付記（１４）のシステムにおいて、
前記旋回させられた反射性の素子は、前記回転デバイス及び前記駆動デバイスが、前記反射性の素子を移動させるとき、わずかに変形するように構成された光学的な表面を含む、システム。
付記（１８）：
付記（１７）のシステムにおいて、
前記光学的な表面は、前記反射性の素子が、前記回転デバイス及び前記駆動デバイスによって移動させられるとき、加速、減速、又はそれら両方のおかげでわずかに変形するように構成されたものである、システム。
付記（１９）：
付記（１６）のシステムにおいて、
前記旋回させられた反射性の素子は、前記回転デバイス及び前記駆動デバイスが、前記反射性の素子を移動させるとき、わずかに変形するように構成された光学的な表面を含む、システム。
付記（２０）：
付記（１１）のシステムであって、
前記偏光を組み合わせるデバイスの上流の前記第三の光の経路に配された反射性の素子をさらに備える、システム。
付記（２１）：
投射システムであって、
付記（１）のエタンデュを維持する偏光を切り替えるシステム、
前記エタンデュを維持する偏光を切り替えるシステムを支持する光学部品、及び、
投射組み立て品
を備える、投射システム。
付記（２２）：
投射システムであって、
付記（１１）のエタンデュを維持する偏光を切り替えるシステム、
前記エタンデュを維持する偏光を切り替えるシステムを支持する光学部品、及び、
投射組み立て品
を備える、投射システム。
付記（２３）：
偏光を切り替えるシステムであって、
第一の光の経路に沿って偏光させられた光を提供するように構成されたレーザー照明システム、
前記第一の光の経路に配された旋回させられた反射性の素子、
前記旋回させられた反射性の素子が、少なくとも第二の光の経路及び第三の光の経路に沿って、それの偏光を変化させることなく、前記第一の光の経路において偏光させられた光を制御可能に及び代わりに方向付けるように作動可能なものであること、並びに、
異なる偏光を有する光へと前記偏光させられた光を変化させるように及び前記第三の光の経路に沿って前記異なる偏光を有する光を反射させるように構成された前記第三の光の経路に配された反射性の遅延させるシステム
を備える、偏光を切り替えるシステム。